(57)【特許請求の範囲】
【請求項１】
乗員から車両の進行方向変更の指示を受け付ける指示受付部と、
車両の状態を取得する車両状態取得部と、
車両周辺の地図情報を取得する地図情報取得部と、
前記進行方向変更の指示が受け付けられた場合に、前記車両の状態および前記地図情報に基づいて、複数ある進行方向のうちの１つを経路生成のための候補として選択する候補選択部と、を備え、
前記候補選択部は、前記車両の状態と、前記複数ある進行方向のそれぞれが選択される確率との関係に基づいて、前記複数ある進行方向のうちの１つを候補として選択する経路生成装置。
【請求項２】
前記複数ある進行方向は、複数の分岐点を含み、そのうちの１つを前記候補選択部は候補として選択する、請求項１に記載の経路生成装置。
【請求項３】
前記車両の状態は、前記複数の分岐点のそれぞれまでの距離を含む、請求項２に記載の経路生成装置。
【請求項４】
前記複数ある進行方向は、車線変更および少なくとも１つの分岐点を含み、そのうちの１つを前記候補選択部は候補として選択する、請求項１に記載の経路生成装置。
【請求項５】
前記車両の状態は、前記分岐点までの距離と、前記車両が現在いる車線と、を含む、請求項４に記載の経路生成装置。
【請求項６】
前記車両の状態は、さらに前記車両の速度を含む、請求項３または５に記載の経路生成装置。
【請求項７】
前記候補選択部は、前記車両の状態および前記地図情報に基づいて、前記複数ある進行方向のうちの１つを候補として推定する、請求項１乃至６のいずれかに記載の経路生成装置。
【請求項８】
前記候補選択部は、車両周辺の道路交通状況、車両周辺の道路特性、乗員の走行履歴、および、目的地のうちの少なくとも１つを考慮して、前記複数ある進行方向のうちの１つを候補として推定する、請求項７に記載の経路生成装置。
【請求項９】
前記指示受付部は、前記選択された候補が正しいか否かの指示を乗員から受け付ける、請求項１乃至８のいずれかに記載の経路生成装置。
【請求項１０】
前記確率を乗員の運転履歴に基づいて更新する確率更新部を備える、請求項１乃至９のいずれかに記載の経路生成装置。
【請求項１１】
乗員から車両進行方向の指示が入力されるインターフェースと、
請求項１乃至１１のいずれかに記載の経路生成装置と、
前記候補選択部が選択した候補を提示する出力インターフェースと、を備える経路生成システム。
【請求項１２】
指示受付部が、乗員から車両の進行方向変更の指示を受け付けるステップと、
車両状態取得部が、車両の状態を取得するステップと、
地図情報取得部が、車両周辺の地図情報を取得するステップと、
候補選択部が、前記進行方向変更の指示が受け付けられた場合に、前記車両の状態および前記地図情報に基づいて、複数ある進行方向のうちの１つを経路生成のための候補として選択するステップと、を備え、
前記候補選択部は、前記車両の状態と、前記複数ある進行方向のそれぞれが選択される確率との関係に基づいて、前記複数ある進行方向のうちの１つを候補として選択する経路生成方法。
【請求項１３】
コンピュータに、
乗員から車両の進行方向変更の指示を受け付けるステップと、
車両の状態を取得するステップと、
車両周辺の地図情報を取得するステップと、
前記進行方向変更の指示が受け付けられた場合に、前記車両の状態および前記地図情報に基づいて、複数ある進行方向のうちの１つを経路生成のための候補として選択するステップと、を実行させ、
前記候補として選択するステップは、前記車両の状態と、前記複数ある進行方向のそれぞれが選択される確率との関係に基づいて、前記複数ある進行方向のうちの１つを候補として選択する経路生成プログラム。
【発明の詳細な説明】
【技術分野】
【０００１】
本発明は、乗員からの指示に基づいて経路を生成する経路生成装置、経路生成システム、経路生成方法および経路生成プログラムに関する。
【背景技術】
【０００２】
自動運転の技術が発達しつつあるが、自動運転中であっても、道路状況の変化などにより手動で経路を変更したいことも多々ある。ところが、交差点が迫ってきている段階で経路変更の判断をした場合、当該交差点に到達するまでの時間が短いため、カーナビゲーションの地図表示などから経路を変更するのは間に合わないことがある。
そこで、特許文献１，２では、ステアリングホイールやジョイスティック装置で進行方向を指示して、経路を変更させることが開示されている。
【先行技術文献】
【特許文献】
【０００３】
【特許文献１】特開２０１２−２１４１２３号公報
【特許文献２】特開２０１２−２１４１２５号公報
【発明の概要】
【発明が解決しようとする課題】
【０００４】
しかしながら、特許文献１，２では、１つの指示に対応する進行方向が複数ある可能性を考慮していないため、例えば１つ先の交差点において、左折の方向が「真左」と「左斜め前」がある場合、１つの「左折」指示では適切な経路変更が行えない。そのため、進行方向をより細かく指示しなければならず、乗員にとって手間である。
【０００５】
本発明はこのような問題点に鑑みてなされたものであり、本発明の課題は、進行方向が複数ある場合でも適切な経路を生成できる経路生成装置、経路生成システム、経路生成方法および経路生成プログラムを提供することである。
【課題を解決するための手段】
【０００６】
本発明の一態様によれば、乗員から車両の進行方向変更の指示を受け付ける指示受付部と、車両の状態を取得する車両状態取得部と、車両周辺の地図情報を取得する地図情報取得部と、前記進行方向変更の指示が受け付けられた場合に、前記車両の状態および前記地図情報に基づいて、複数ある進行方向のうちの１つを候補として選択する候補選択部と、を備える経路生成装置が提供される。
車両の状態を考慮することで、複数ある進行方向のうちの１つを適切に選択できる。
【０００７】
前記複数ある進行方向は、複数の分岐点を含み、そのうちの１つを前記候補選択部は候補として選択してもよい。
この場合、前記車両の状態は、前記複数の分岐点のそれぞれまでの距離を含むのが望ましい。
【０００８】
前記複数ある進行方向は、車線変更および少なくとも１つの分岐点を含み、そのうちの１つを前記候補選択部は候補として選択してもよい。
この場合、前記車両の状態は、前記分岐点までの距離と、前記車両が現在いる車線と、を含むのが望ましい。
前記車両の状態は、さらに前記車両の速度を含んでもよい。
【０００９】
前記候補選択部は、前記車両の状態および前記地図情報に基づいて、前記複数ある進行方向のうちの１つを候補として推定してもよい。
【００１０】
この場合、前記候補選択部は、車両周辺の道路交通状況、車両周辺の道路特性、乗員の走行履歴、および、目的地のうちの少なくとも１つを考慮して、前記複数ある進行方向のうちの１つを候補として推定するのが望ましい。
【００１１】
前記指示受付部は、前記選択された候補が正しいか否かの指示を乗員から受け付けてもよい。
【００１２】
前記候補選択部は、前記車両の状態と、前記複数ある進行方向のそれぞれが選択される確率との関係に基づいて、前記複数ある進行方向のうちの１つを候補として選択してもよい。
【００１３】
当該経路生成装置は、前記確率を乗員の運転履歴に基づいて更新する確率更新部を備えるのが望ましい。
これにより、乗員に合った経路を生成できる。
【００１４】
本発明の別の態様によれば、乗員から車両進行方向の指示が入力されるインターフェースと、上記経路生成装置と、前記候補選択部が選択した候補を提示する出力インターフェースと、を備える経路生成システムが提供される。
【００１５】
本発明の別の態様によれば、乗員から車両の進行方向変更の指示を受け付けるステップと、車両の状態を取得するステップと、車両周辺の地図情報を取得するステップと、前記進行方向変更の指示が受け付けられた場合に、前記車両の状態および前記地図情報に基づいて、複数ある進行方向のうちの１つを候補として選択するステップと、を備える経路生成方法が提供される。
【００１６】
コンピュータに、乗員から車両の進行方向変更の指示を受け付けるステップと、車両の状態を取得するステップと、車両周辺の地図情報を取得するステップと、前記進行方向変更の指示が受け付けられた場合に、前記車両の状態および前記地図情報に基づいて、複数ある進行方向のうちの１つを候補として選択するステップと、を実行させる経路生成プログラムが提供される。
【発明の効果】
【００１７】
車両の状態を考慮することで、進行方向が複数ある場合でも適切な経路を生成できる。
【図面の簡単な説明】
【００１８】
【図１】第１の実施形態の動作を説明する図。
【図２】第１の実施形態に係る経路生成システムの概略構成を示すブロック図。
【図３】交差点Ｃ１で左折する際に、左折の指示を位置ｓで行う確率Ｐ１（ｓ）を模式的に示す図。
【図４】交差点Ｃ１で左折する際に左折の指示を位置ｓで行う確率Ｐ１（ｓ）と、交差点Ｃ２で左折する際に左折の指示を位置ｓで行う確率Ｐ２（ｓ）を模式的に示す図。
【図５Ａ】交差点Ｃ１で左折する際に、左折の指示を位置ｓおよび車速ｖで行う確率Ｐ（ｓ，ｖ）を模式的に示す図。
【図５Ｂ】図５ＡのＢ−Ｂ断面図。
【図５Ｃ】図５ＡのＣ−Ｃ断面図。
【図６】図４の別の例を模式的に示す図。
【図７】第２の実施形態の動作を説明する図。
【図８】第３の実施形態に係る経路生成システムの概略構成を示すブロック図。
【図９】確率の更新を説明する図。
【発明を実施するための形態】
【００１９】
以下、本発明に係る実施形態について、図面を参照しながら具体的に説明する。
【００２０】
（第１の実施形態）
図１は、第１の実施形態の動作を説明する図である。本実施形態では、片道１車線の道路において、車両１００の進行方向に左折の交差点Ｃ１，Ｃ２が順に存在するケースを想定している。本実施形態に係る経路生成装置に対して、車両１００の乗員がある位置で左折の指示を行ったとする。交差点Ｃ１，Ｃ２の間隔が狭い場合、交差点Ｃ２で左折する場合であっても、乗員は交差点Ｃ１の手前で左折の指示を行わなければならない。本実施形態では、このような場合に、経路生成装置が乗員の意図を汲み取り、交差点Ｃ１での左折（経路Ｒ１）なのか、交差点Ｃ２での左折（経路Ｒ２）なのかを適切に選択するものである。
【００２１】
図２は、第１の実施形態に係る経路生成システムの概略構成を示すブロック図である。経路生成システムは、入力インターフェース１と、経路生成装置２と、出力インターフェース３とを備えている。この経路生成システムが車両１００に備えられ、例えば自動運転に利用され得る。
【００２２】
入力インターフェース１は乗員が経路生成装置２に対して指示を行うものである。入力インターフェース１は、ウインカー、レバー、ジョイスティック、タッチパッド、マイクなど、簡単な操作で指示を行えるものが望ましい。
【００２３】
経路生成装置２は、指示受付部２１と、車両状態取得部２２と、地図情報データベース２３と、地図情報取得部２４と、候補選択部２５とを有する。地図情報データベース２３を除く各部は、その全部または一部がハードウェアで実装されてもよいし、所定の経路生成プログラムがプロセッサによって実行されることで実現されてもよい。
【００２４】
指示受付部２１は、入力インターフェース１を介して、乗員からの指示を受け付ける。本実施形態の指示受付部２１は、進行方向変更の指示として、右左折の指示を乗員から受け付けるものとする。
【００２５】
車両状態取得部２２は車両１００の状態を取得する。車両１００の状態とは、車両１００に搭載されたＧＰＳ受信装置で取得された車両１００の位置を含み得る。ここで、車両１００の位置と、後述する地図情報とを組み合わせると、車両１００から各交差点までの距離を算出できるので、車両１００の位置と、車両１００から各交差点までの距離とを等価に考えることもできる。また、車両１００の状態とは、車速であってもよく、例えば車両１００に搭載された車速センサから取得できる。
【００２６】
地図情報データベース２３は地図情報を記憶している。地図情報は、道路の形状や車線数などを含んでおり、さらにリアルタイムな道路交通状況を含んでいてもよい。なお、図２では地図情報データベース２３が経路生成装置２に内蔵される例を示しているが、地図情報データベース２３は経路生成装置２とは別個の記憶媒体であってもよいし、経路生成装置２とネットワークを介して接続されたものであってもよい。
【００２７】
地図情報取得部２４は車両１００の周辺の地図情報を取得する。より具体的には、地図情報取得部２４は、ＧＰＳ受信装置からの情報などに基づいて車両１００の自位置を把握し、その周辺、特に進行方向側の道路を含む地図情報を取得する。
【００２８】
候補選択部２５は、乗員から右左折の指示を受け付けると、車両１００の状態および地図情報に基づいて、車両１００の進行方向に交差点が複数ある場合に、その１つを乗員が意図する経路の候補として選択する。選択の手法は後述する。
【００２９】
出力インターフェース３は、候補選択部２５によって選択された候補を提示する。出力インターフェース３は、典型的には車両１００のダッシュボードなどに設けられたディスプレイであり、例えば選択された候補である交差点を曲がる経路を地図情報上に矢印を重畳して表示する。
【００３０】
出力インターフェース３に提示された候補について、入力インターフェース１を介して乗員がその正否を指示できてもよい。そして、候補が正しい旨の指示を指示受付部２１が受け付けた場合、候補選択部２５はその候補を承認して経路を生成してもよい。仮に、候補が正しくない旨の指示を指示受付部２１が受け付けた場合、候補選択部２５は代替候補を選択してもよい。
【００３１】
候補選択部２５の処理について、図１を用いて説明する。図１において、乗員が左折の指示を行った時点における車両１００から交差点Ｃ１，Ｃ２までの距離をそれぞれｓ１，ｓ２とし、その時の車速をｖとする。例えば、車速ｖが十分に小さい場合、乗員は交差点Ｃ１での左折を意図していると考えられるので、候補選択部２５は交差点Ｃ１（経路Ｒ１）を選択する。一方、距離ｓ１が小さく、車速ｖがそれほど小さくない場合、乗員は交差点Ｃ２での左折を意図していると考えられるので、候補選択部２５は交差点Ｃ２（経路Ｒ２）を選択する。
すなわち、指示を行った時点での車速ｖや、交差点において十分に減速しているために必要な距離から、候補選択部２５は乗員が意図する交差点を推定できる。
【００３２】
より具体的に説明する。まずは車両状態取得部２２が取得する車両１００の状態が交差点までの距離ｓ１，ｓ２のみ（すなわち車速ｖは取得しない）であるとして、選択する交差点との関係を述べる。
【００３３】
図３は、交差点Ｃ１で左折する際に、左折の指示を位置ｓで行う確率Ｐ１（ｓ）を模式的に示す図である。横軸は左折の指示を行う時点での車両１００の位置であり、各位置と交差点Ｃ１との距離が、車両１００から交差点Ｃ１までの距離に対応する。縦軸は各位置で左折の指示が行われる確率Ｐ１（ｓ）を示している。すなわち、図３は、交差点Ｃ１で左折したい場合に、どの位置で左折の指示が行われる確率が高いかを示している。例えば、交差点Ｃ１で左折することを意図する場合、位置ｓａ（交差点Ｃ１との距離ｓａ１）において左折の指示が行われる確率がＰ１（ｓａ）であることを示している。言い換えると、位置ｓａにおいて左折の指示が行われた場合、乗員が交差点Ｃ１での左折を意図している確率がＰ１である。
このような確率分布が交差点ごとに予め候補選択部２５に設定されている。
【００３４】
図４は、交差点Ｃ１で左折する際に左折の指示を位置ｓで行う確率Ｐ１（ｓ）と、交差点Ｃ２で左折する際に左折の指示を位置ｓで行う確率Ｐ２（ｓ）を模式的に示す図である。交差点Ｃ１で左折する際の確率Ｐ１（ｓ）を実線で、交差点Ｃ２で左折する際の確率Ｐ２（ｓ）を破線で示している。これらの確率分布に基づいて、乗員から左折の指示を受け付けた場合に、次のようにして、候補選択部２５は交差点Ｃ１，Ｃ２のいずれかを選択する。
【００３５】
例えば、位置ｓａ（交差点Ｃ１，Ｃ２までの距離がそれぞれｓａ１，ｓａ２）において乗員から左折の指示を受け付けたとする。この位置ｓａにおいて行われた左折の指示が交差点Ｃ１で左折を意図している確率はＰ１（ｓａ）であり、交差点Ｃ２で左折を意図している確率はＰ２（ｓａ）である。そして、図４よりＰ１（ｓａ）＜Ｐ２（ｓａ）であるから、候補選択部２５は交差点Ｃ２を選択する。
【００３６】
別の例として、位置ｓｂ（交差点Ｃ１，Ｃ２までの距離がそれぞれｓｂ１，ｓｂ２）において乗員から左折の指示を受け付けたとする。図４よりＰ１（ｓｂ）＞Ｐ２（ｓｂ）であるから、候補選択部２５は交差点Ｃ１を選択する。
【００３７】
このように、候補選択部２５は、交差点のそれぞれについて、位置（言い換えると各交差点までの距離）ｓと、各位置ｓで行われた進行方向変更の指示が当該交差点で右左折することを意図する確率Ｐ（ｓ）との関係を予め記憶しておく。そして、候補選択部２５は、進行方向の指示を受け付けた時点の位置ｓにおいて、最も確率Ｐ（ｓ）が大きい交差点を、乗員が意図する交差点であると推定して選択する。具体的な推定の手法として、例えばベイズ推定を適用できる。また、形状などが類似する交差点については、同じ確率Ｐ（ｓ）を設定してもよい。
【００３８】
続いて、車速ｖをさらに考慮して交差点を選択することを説明する。
図５Ａは、交差点Ｃ１で左折する際に、左折の指示を位置ｓおよび車速ｖで行う確率Ｐ（ｓ，ｖ）を模式的に示す図である。横軸は左折の指示を行う時点での車両１００の位置ｓであり、図３の横軸と同様である。また、縦軸は左折の指示を行う時点での車速ｖである。そして、紙面垂直方向に、各位置ｓおよび各車速ｖで左折の指示が行われる確率Ｐ（ｓ，ｖ）が示される。
【００３９】
図５Ａの確率Ｐ（ｓ，ｖ）をＢ−Ｂ線（車速ｖ１）およびＣ−Ｃ線（車速ｖ２（＜ｖ１））で切ったものが、図５Ｂの確率Ｐ（ｓ，ｖ１）および図５Ｃの確率Ｐ（ｓ，ｖ２）にそれぞれ対応する。このような確率分布が交差点ごとに予め候補選択部２５に設定されている。なお、すべての交差点で同じ確率分布を設定しておいてもよい。
【００４０】
このように、候補選択部２５は、位置（言い換えると各交差点までの距離）ｓと、車速ｖと、各位置ｓおよび各車速ｖで進行方向変更の指示が行われる確率Ｐ（ｓ，ｖ）との関係を予め記憶しておく。そして、候補選択部２５は、進行方向の指示を受け付けた時点の位置ｓおよび車速ｖにおいて、最も確率Ｐ（ｓ，ｖ）が大きい交差点を、乗員が意図する交差点であると推定して選択してもよい。
【００４１】
次に、図３や図５Ａに示す確率分布の設定手法の例を説明する。
第１例として、車両１００周辺の道路交通状況を考慮して確率分布が設定されてもよく、この場合、候補選択部２５は道路交通状況も考慮して候補となる交差点を選択することとなる。具体例として、候補選択部２５は、車両１００の進行方向あるいは交差点の通行量や、交差点での右左折待ち車両数を認識し、これを考慮することができる。例えば、図１において、交差点Ｃ１の左折先は混雑しているが、交差点Ｃ２の左折先は混雑していない場合、交差点Ｃ１で左折する確率を全体的に低くし、図４に代えて図６のような確率分布としてもよい。この場合、確率分布は固定ではなく、道路交通状況に応じて変動し得る。
【００４２】
第２例として、一般的な選好性、具体的には車両１００周辺の道路特性を考慮して確率分布が設定されてもよく、この場合、候補選択部２５は道路特性も考慮して候補となる交差点を選択することとなる。具体例として、候補選択部２５は、地図情報に含まれる道路の車線数や幅員や、通行量の多さ、有料道路か否かなどを考慮することができる。例えば、図１において、交差点Ｃ１の左折先の道路は狭いが、交差点Ｃ２の左折先の道路は広い場合、図４に代えて図６のような確率分布としてもよい。
【００４３】
第３例として、乗員個人の選好性、具体的には車両１００の乗員の走行履歴を考慮して確率分布が設定されてもよく、この場合、候補選択部２５は乗員の走行履歴を考慮して候補となる交差点を選択することとなる。具体例として、候補選択部２５は、乗員が過去によく通った道路であることや、好みの道路の特徴（広い道をよく通る、など）を考慮することができる。例えば、図１において、乗員が交差点Ｃ１を左折することはあまりないが、交差点Ｃ２をよく左折する場合、図４に代えて図６のような確率分布としてもよい。この場合、確率分布は、乗員に応じて、あるいは、車両に応じて異なり得る。
【００４４】
第４例として、目的地を考慮して確率分布が設定されてもよく、この場合、候補選択部２５は乗員の走行履歴を考慮して候補となる交差点を選択することとなる。目的地は、例えばカーナビゲーションに設定されたものを流用することができる。そして、目的地までの経路に関する評価値（到達までの所要時間など）が優れている交差点の確率が高く設定される。例えば、図１において、交差点Ｃ２を左折した先の道路上に目的地がある場合、図４に代えて図６のような確率分布としてもよい。
以上説明した第１〜第４例を組み合わせてもよいし、他の要因を考慮してもよい。
【００４５】
このように、第１の実施形態では、乗員から右左折の指示があった場合に、車両１００の状態に基づいて複数の交差点のうちの１つを選択する。そのため、複数の交差点のうちの適切なものを選択でき、適切な経路を生成できる。したがって、自動運転中に経路を変更したり、その時の道路状況などを鑑みて乗員が思い通りに右左折したりできる。なお、本実施形態は、交差点に限らず、任意の分岐点や、進行方向に３以上の交差点がある場合にも適用可能である。
【００４６】
（第２の実施形態）
第１の実施形態は、複数の交差点がある場合にそのうちの１つを選択するものであった。以下に説明する第２の実施形態は、左折（または右折）および車線変更して直進のうちの１つを選択するものである。
【００４７】
図７は、第２の実施形態の動作を説明する図である。本実施形態では、片道２車線（Ｌ１，Ｌ２）の道路において、車両１００の進行方向に左折の交差点Ｃ１が存在するケースを想定している。本実施形態に係る経路生成装置２に対して、右車線Ｌ２にいる車両１００の乗員がある位置で左方向へ移動する指示を行ったとする。本実施形態では、このような場合に、経路生成装置２が乗員の意図を汲み取り、交差点Ｃ１での左折（経路Ｒ３）なのか、左車線Ｌ１への車線変更（経路Ｒ４）なのかを適切に選択するものである。
経路生成システムの構成は図１に示すものと同様であり、以下、第１の実施形態との相違点を中心に説明する。
【００４８】
本実施形態の指示受付部２１は、進行方向変更の指示として、左または右への移動指示を受け付けるものとする。左への移動指示は左折または左車線への車線変更を意味し、右への移動指示は右折または右車線への車線変更を意味する。また、車両状態取得部２２は、車両１００の状態として、車両１００が現在どの車線にいるのかを取得する。例えば、車両状態取得部２２は、車載カメラを用いた画像認識、ＧＰＳ受信装置で取得された車両１００の位置情報、地図情報などを利用して、現在いる車線を特定できる。
【００４９】
候補選択部２５は、左または右への移動指示を受け付けると、車両１００の状態および地図情報に基づいて、車両１００の進行方向に交差点および複数車線がある場合に、分岐点での右左折および車線変更のうちの１つを候補として選択する。
【００５０】
図７において、右車線Ｌ２にある車両１００の乗員が左への移動指示を行った時点において、車両１００から交差点Ｃ１までの距離をｓ１とする。例えば、距離ｓ１が十分に小さい場合または十分に大きい場合、乗員は交差点Ｃ１での左折ではなく左車線Ｌ１への車線変更を意図していると考えられるので、候補選択部２５は車線変更（経路Ｒ４）を選択する。一方、距離ｓ１が車速ｖに応じた所定範囲の場合、乗員は交差点Ｃ１での左折を意図していると考えられるので、候補選択部２５は交差点Ｃ１（経路Ｒ３）を選択する。
【００５１】
このような選択は第１の実施形態で説明した図３〜図５と同様にして行うことができる。すなわち、車両状態取得部２２が、車両１００のいる車線と、車両１００の位置とを取得する場合、候補選択部２５は、位置（言い換えると、図７における交差点Ｃ１までの距離）ｓと、交差点Ｃ１を左折する場合に進行方向変更の指示が各位置ｓで行われる確率Ｐ１（ｓ）と、左車線Ｌ１に車線変更をする場合に進行方向変更の指示が各位置ｓで行われる確率Ｐ２（ｓ）と、の関係を予め記憶しておく。そして、候補選択部２５は、進行方向の指示を受け付けた時点の位置ｓにおいて、確率Ｐ１（ｓ）が大きい場合には交差点Ｃ１を、確率Ｐ２（ｓ）が大きい場合には車線変更を、乗員の意図として推定して選択する。
【００５２】
なお、確率Ｐ１（ｓ）は、交差点Ｃ１を左折する場合に進行方向変更の指示が各位置ｓで行われる確率Ｐ１０（ｓ）と、当該指示が左折である確率（位置ｓに依存しない一定値）Ｐ１１との積であってもよい。そして、確率Ｐ２（ｓ）は、左車線Ｌ１に車線変更をする場合に進行方向変更の指示が各位置ｓで行われる確率Ｐ２０（ｓ）と、当該指示が左折である確率（位置ｓに依存しない一定値）Ｐ２１との積であってもよい。例えば、一般に車線変更より左折の方が頻繁に発生するのであれば、Ｐ１１＞Ｐ２１と設定しておけばよい。
【００５３】
また、車両状態取得部２２がさらに車速ｖを取得する場合、候補選択部２５は、位置ｓと、車速ｖと、交差点Ｃ１を左折する場合に進行方向変更の指示が各位置ｓおよび車速ｖで行われる確率Ｐ１（ｓ，ｖ）と、左車線Ｌ１に車線変更をする場合に進行方向変更の指示が各位置ｓおよび車速ｖで行われる確率Ｐ２（ｓ，ｖ）と、の関係を予め記憶しておく。そして、候補選択部２５は、進行方向の指示を受け付けた時点の位置ｓおよび車速ｖにおいて、確率Ｐ１（ｓ，ｖ）が大きい場合には交差点Ｃ１を、確率Ｐ２（ｓ，ｖ）が大きい場合には車線変更を、乗員の意図として推定して選択する。
【００５４】
このように、第２の実施形態では、乗員から左（右）への移動指示があった場合に、車両１００の状態に基づいて、左（右）折を行う交差点および左（右）車線への車線変更のちの１つを選択する。そのため、左（右）折および車線変更のうちの適切なものを選択できる。なお、本実施形態は、３車線以上ある場合にも適用可能である。
【００５５】
また、第１および第２の実施形態を組み合わせることも可能である。すなわち、進行方向に２つ以上の分岐点があり、かつ、車線変更の可能性もあるときに、候補選択部２５はそのうちの１つを選択するようにしてもよい。そのためには、考え得る進行方向（どの交差点での右左折であるか、車線変更であるか）のそれぞれについて、車両１００の状態（車両１００の位置（交差点までの距離）ｓ、車速ｖ、車両１００がいる車線など）との関係を予め候補選択部２５が記憶しておき、複数ある進行方向のうち最も確率が高いものを候補として選択すればよい。
【００５６】
（第３の実施形態）
次に説明する第３の実施形態は、図４などに示す確率分布を更新するものである。
図８は、第３の実施形態に係る経路生成システムの概略構成を示すブロック図である。図２との相違点として、経路生成装置２’は確率更新部２６をさらに有する。確率更新部２６は、乗員による指示および実際の運転の履歴を取得し、当該履歴に基づいて確率を更新する。
【００５７】
早めに指示を出す乗員もいれば、交差点のぎりぎりで指示を出す乗員もいる。そのため、乗員ごとに履歴を取得し、乗員ごとの確率を生成することで、乗員の癖に合った経路を生成できる。
【００５８】
図９は、確率の更新を説明する図である。同図（ａ）は、交差点Ｃ１で左折する際に、左折の指示を位置ｓで行う確率Ｐ１（ｓ）が予め定められており、位置ｓ０で左折の指示が行われる確率が最も高い。この確率Ｐ１（ｓ）は乗員によらない初期設定である。
【００５９】
ある乗員Ａの運転履歴によれば、位置ｓ０より交差点Ｃ１に近い位置ｓａ０で左折の指示をすることが多かったとする。なお、位置ｓａ０は車両状態取得部２２が取得できる。この場合、確率更新部２６は、確率Ｐ１（ｓ）における位置ｓａ０の確率を高くして、確率Ｐ１ａ（ｓ）を生成する（図９（ｂ））。その後も位置ｓａ０で左折の指示をすることが多いのであれば、確率更新部２６は、確率Ｐ１ａ（ｓ）における位置ｓａ０の確率をさらに高くする（図９（ｃ））。このようにして、乗員Ａ用の確率Ｐ１ａ（ｓ）が更新される。
【００６０】
一方、ある乗員Ｂの運転履歴によれば、位置ｓ０より交差点Ｃ１から離れた位置ｓｂ０で左折の指示をすることが多かったとする。この場合、確率更新部２６は、確率Ｐ１（ｓ）における位置ｓｂ０の確率を高くして、確率Ｐ１ｂ（ｓ）を生成する（図９（ｄ））。その後も位置ｓｂ０で左折の指示をすることが多いのであれば、確率更新部２６は、確率Ｐ１ｂ（ｓ）における位置ｓｂ０の確率をさらに高くする（図９（ｅ））。このようにして、乗員Ｂ用の確率Ｐ１ｂ（ｓ）が更新される。
そして、候補選択部２５は更新された確率を用いて候補となる経路を選択する。
【００６１】
このように、本実施形態では、確率分布を乗員の履歴に基づいて更新する。そのため、乗員に適した経路を適切に選択できる。
【００６２】
なお、図５Ａに示すように、交差点で左折する際に、左折の指示を位置ｓおよび車速ｖで行う確率Ｐ（ｓ，ｖ）が定められている場合、運転履歴として、左折指示を行う際の交差点に対する位置ｓのみならず車速ｖも車両状態取得部２２が取得し、確率更新部２６は確率Ｐ（ｓ，ｖ）を更新すればよい。
【００６３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００６４】
１  入力インターフェース
２  経路生成装置
２１  指示受付部
２２  車両状態取得部
２３  地図情報データベース
２４  地図情報取得部
２５  候補選択部
２６  確率更新部
３  出力インターフェース
【図１】
0006541602.tif 000002
【図２】
0006541602.tif 000003
【図３】
0006541602.tif 000004
【図４】
0006541602.tif 000005
【図５Ａ】
0006541602.tif 000006
【図５Ｂ】
0006541602.tif 000007
【図５Ｃ】
0006541602.tif 000008
【図６】
0006541602.tif 000009
【図７】
0006541602.tif 000010
【図８】
0006541602.tif 000011
【図９】
0006541602.tif 000012